(57)【要約】      （修正有）【課題】規制上の規格に基づいた様々な逆流防止装置を必要とするディスペンサと共に世界中で使用するための逆流防止アセンブリを提供する。【解決手段】逆流防止アセンブリ７０は、流入管６８及び流出管６９に流体連結するように構成された、第１クイック取り付けコネクタ及び第２クイック取り付けコネクタ８２を備えるハウジング７２と、ハウジング７２に流体連結され且つ流入管６８への液体の逆流を防止するように構成される流量調節器１００と、ハウジング７２を少なくとも部分的に取り囲み且つ少なくとも１つの通気口を備えているカバー９２であって、ハウジング７２は、流入管６８を流出管６９に接続する流体流路を形成し、第１クイック取り付けコネクタ及び第２クイック取り付けコネクタ８２は、流入管６８及び流出管６９との連結が実質的に全世界対応型となりうるように流入管及び流出管とのねじ山が切られていない連結を備える、カバー９２とを備える。【選択図】図５
2019088853.tif 000002
【特許請求の範囲】
【請求項１】
相互に取り付けられる第１部材及び第２部材を備えるハウジングと、
前記ハウジングに流体連結され且つ流入管への液体の逆流を防止するように構成される流量調節器とを備え、
前記ハウジングの前記第１部材が、少なくとも部分的に前記ハウジングを取り囲み且つ少なくとも１つの通気口が貫通しているカバーを備え、
前記ハウジングの前記第２部材が、流入管及び流出管に流体連結するように構成された第１クイック取り付けコネクタ及び第２クイック取り付けコネクタを備える、ディスペンサと共に使用するための逆流防止アセンブリ。
【請求項２】
前記第１部材及び前記第２部材が、前記第１クイック取り付けコネクタから前記第２クイック取り付けコネクタへの閉鎖流路を形成する、請求項１に記載のアセンブリ。
【請求項３】
前記流量調節器が、前記閉鎖流路に前記第１クイック取り付けコネクタ又は前記第２クイック取り付けコネクタに隣接させて位置決めされるポペットを備える、請求項２に記載のアセンブリ。
【請求項４】
前記ポペットが、流体が前記流入管、ハウジング及び流出管を通過可能な開位置と、前記ポペットが前記流入管、ハウジング又は流出管の少なくとも１つを通る流れをブロックする閉位置との間で動くように構成される、請求項３に記載のアセンブリ。
【請求項５】
前記流量調節器が、前記流入管又は流出管に少なくとも１つの逆止め弁を備える、請求項１に記載のアセンブリ。
【請求項６】
前記流量調節器が、前記ハウジングに流体連結されたパイプインターラプタを備える、請求項１に記載のアセンブリ。
【請求項７】
前記第２部材が、アセンブリをディスペンサに選択的に取り付けるように構成された複数のスナップ部材をさらに備える、請求項１に記載のアセンブリ。
【請求項８】
前記第１クイック取り付けコネクタ及び前記第２クイック取り付けコネクタが、それぞれ、
前記第２部材から概ね下方向に延び且つ前記第２部材へのアクセスを可能にする開口部が貫通している概ね円形の押出成形物と、
実質的に前記押出成形物を取り囲み且つ前記流入管及び前記流出管を流体連結するように構成された、ねじ山が切られていない連結溝とを備える、請求項１に記載のアセンブリ。
【請求項９】
前記流入管及び前記流出管を流体的に封止するための、前記連結溝に位置決めされるＯリングをさらに備える、請求項８に記載のアセンブリ。
【請求項１０】
前記ハウジングの前記第１部材と前記第２部材が相互に溶接される、請求項１に記載のアセンブリ。
【請求項１１】
ねじ山が切られていない第１クイック取り付けコネクタ及び第２クイック取り付けコネクタが延びているハウジングと、
流体が通過できるように構成された前記第１クイック取り付けコネクタから前記第２クイック取り付けコネクタへの流体流路と、
前記第１クイック取り付けコネクタに流体連結された流入管及び前記第２クイック取り付けコネクタに流体連結された流出管と、
前記ハウジングに流体連結され且つ流体の前記流入管への逆流を防止するように構成された流量調節器と、
少なくとも部分的に前記ハウジングを取り囲み且つ少なくとも１つの通気口が貫通しているカバーと、を備える逆流防止アセンブリ。
【請求項１２】
前記流量調節器が、
（ａ）ガスケットを含むポペット、（ｂ）少なくとも１つの逆止め弁、又は、（ｃ）パイプインターラプタを備える、請求項１１に記載のアセンブリ。
【請求項１３】
前記流体流路が、銅管を備える、請求項１２に記載のアセンブリ。
【請求項１４】
前記少なくとも１つの逆止め弁が前記流入管内に位置決めされる、請求項１３に記載のアセンブリ。
【請求項１５】
前記第１クイック取り付けコネクタ及び前記第２クイック取り付けコネクタが、それぞれ、
第２ハウジング部材から概ね下方向に延び且つ前記第２ハウジング部材へのアクセスを可能にする開口部が貫通している概ね円形の押出成形物と、
実質的に前記押出成形物を取り囲み且つ前記流入管及び前記流出管を流体連結するように構成された、ねじ山が切られていない連結溝と、
前記流入管及び前記流出管を流体的に封止するための、前記連結溝に位置決めされる封止部材とを備える、請求項１１に記載のアセンブリ。
【請求項１６】
ディスペンサハウジングと、
少なくとも部分的に前記ディスペンサハウジング内にある、固形薬剤を保持するためのキャビティと、
前記固形薬剤と接触させて薬剤を調製するための液体を供給する液体供給源と、前記調製された薬剤の逆流を防止するために前記液体供給源に流体連結され且つねじ山が切られていない第１クイック取り付けコネクタ及び第２クイック取り付けコネクタが延びているハウジングと、前記第１クイック取り付けコネクタと前記第２クイック取り付けコネクタの間の流体流路と、前記第１クイック取り付けコネクタに流体連結された流入管及び前記第２クイック取り付けコネクタに流体連結された流出管と、前記ハウジングに流体連結され且つ流体の前記流入管への逆流を防止するように構成された流量調節器と、少なくとも部分的に前記ハウジングを取り囲み且つ少なくとも１つの通気口が貫通しているカバーとを備える逆流防止装置とを備え、
前記流出管が、前記固形薬剤に接触させる液体を供給する前記液体供給源に流体連結される、液体と固形薬剤との間で薬剤を調製するためのディスペンサ。
【請求項１７】
前記流量調節器が、
（ａ）ガスケットを含むポペット、（ｂ）少なくとも１つの逆止め弁、又は、（ｃ）パイプインターラプタを備える、請求項１６に記載のディスペンサ。
【請求項１８】
前記流体流路が、銅管を備える、請求項１６に記載のディスペンサ。
【請求項１９】
前記第１クイック取り付けコネクタ及び前記第２クイック取り付けコネクタが、それぞれ、
第２ハウジング部材から概ね下方向に延び且つ前記第２ハウジング部材へのアクセスを可能にする開口部が貫通している概ね円形の押出成形物と、
実質的に前記押出成形物を取り囲み且つ前記流入管及び前記流出管を流体連結するように構成される、ねじ山が切られていない連結溝とを備える、請求項１６に記載のディスペンサ。
【発明の詳細な説明】
【技術分野】
【０００１】
本願は、２０１３年２月２０日に出願の米国仮特許出願第６１／７６６７７５号（その内容は参照により全て本明細書に組み込まれる）に対して米国特許法第１１９条に基づいて優先権を主張するものである。
【０００２】
本発明は概して、液体と固形薬剤との間で調製される薬剤の分注に使用するディスペンサに関する。より具体的には、他を排除するものではないが、本発明は、全世界でディスペンサに取り付けるにあたって最低限の改変しか必要としない全世界対応型逆流防止アセンブリに関する。
【背景技術】
【０００３】
一部のディスペンサ、例えば洗浄剤用のディスペンサでは、水等の液体を導入して固形薬剤と接触させることで洗浄剤を調製する。得られる溶液は、削られて液体と混ざった固形薬剤の量に基づいた濃度を有する。加えて、液体の流量を変更し、溶液に補給液を追加することで、その最終用途に向けてディスペンサから分注する前に溶液濃度をより良好に制御することができる。接触液及び補給液の両方の液体を同じ場所、例えばシンク、ホース又は家庭用若しくは業務用の他の標準的な装置から供給することができる。
【０００４】
液体は、ホースを介してディスペンサに取り付けることができる。しかしながら、液体供給源が調製後の溶液で汚染されないように、逆流防止装置をディスペンサに組み込む。逆流防止装置は概してディスペンサに据えつけられ、ホースに連結され、液体を一方向でディスペンサ及び固形薬剤に流し、その一方で調製後の溶液がホースを通って液体供給源、例えば公共の水源に逆流するのを防止する。逆流防止装置の使用及び規制は地方自治体又は政府当局により行われ、概して地域レベル又は国家レベルで規制される。
【０００５】
しかしながら、地域及び／又は国の政府当局が異なると、逆流防止装置に関する規制上の要件も異なり得る。様々な地域及び／又は国で使用されているディスペンサに同じフローインターラプタ（ｆｌｏｗ  ｉｎｔｅｒｒｕｐｔｅｒ）を使用できるということについて全ての政府当局が合意しているわけではない。そのため、ディスペンサを、のちに仕様が変更されることもある複数の鋳型、部品等を含み得る逆流防止装置に関する様々な規制に対応するように特別に製造しなくてはならない。結果的にディスペンサの設計及び製造コストが上昇するが、これは世界中の異なる規制に合わせてディスペンサを特別に製造しなくてはならないからである。
【０００６】
したがって、世界中の地域及び国の様々な規制に準拠していることからハウジング及びアセンブリをほぼ世界中の又は万国の様々な流量調節器と共に使用することができるという意味でモジュール式の逆流防止ハウジング及びアセンブリが当該分野で求められている。
【先行技術文献】
【特許文献】
【０００７】
（原文に記載なし）
【発明の概要】
【発明が解決しようとする課題】
【０００８】
したがって、本発明の主な目的、特徴及び／又は利点は、当該分野における欠点を克服する装置を提供することである。
【０００９】
本発明の別の目的、特徴及び／又は利点は、世界中での取り付けにあたって最低限の改変しか必要としない全世界対応型プラットフォームをディスペンサに提供することである。
【００１０】
本発明のさらに別の目的、特徴及び／又は利点は、共通組み立てパッケージを用いるにも関わらず、逆流に関する世界中の様々な規格を満たす機能を備えた逆流防止装置を提供することである。
【００１１】
本発明のさらに別の目的、特徴及び／又は利点は、異なる逆流制御装置と共に使用できる逆流防止アセンブリハウジングを提供することである。
【００１２】
本発明のさらなる目的、特徴及び／又は利点は、ディスペンサハウジングにスナップフィットさせて迅速且つ簡単に取り付けることができる逆流防止アセンブリハウジングを提供することである。
【００１３】
本発明のさらに別の目的、特徴及び／又は利点は、世界中で使用できるようにねじ山を利用しない管状アタッチメントを含む逆流防止アセンブリハウジングを提供することである。
【００１４】
本発明のさらに別の目的、特徴及び／又は利点は、薬剤が薬剤の調製に使用した水源に逆流するのを防止する逆流防止アセンブリハウジングを提供することである。
【００１５】
本発明のこれら及び／又は他の目的、特徴及び利点は、追って当業者に明らかとなる。本発明がこれらの目的、特徴及び利点に又はこれらの目的、特徴及び利点により限定されることはない。実施形態がそれぞれ及び全ての目的、特徴又は利点をもたらすものである必要はない。
【課題を解決するための手段】
【００１６】
本発明のある態様では、ディスペンサと共に使用するための逆流防止アセンブリを提供する。アセンブリは、相互に取り付ける第１部材と第２部材とを備えるハウジングを含む。第１ハウジング部材はカバーを備え、第２ハウジング部材は、流入管及び流出管に流体連結するように構成された第１及び第２クイック取り付けコネクタを備える。ハウジングには流量調節器が流体連結され、また流量調節器は流入管への液体の逆流を防止するように構成される。
【００１７】
アセンブリは、逆流を防止するために、ポペット、逆止め弁及びパイプインターラプタと共に使用することができる。第２ハウジング部材は、アセンブリをディスペンサに選択的に取り付けるように構成された複数のスナップ部材を備え得る。クイック取り付けコネクタは、第２ハウジング部材から概ね下方向に延び且つ第２ハウジング部材へのアクセスを可能にする開口部が貫通している概ね円形の押出成形物と、実質的に押出成形物を取り囲み且つ流入管及び流出管を流体連結するように構成された、ねじ山が切られていない連結溝と、連結溝に位置決めされる、流入管及び流出管を流体的に封止するための封止部材とを備え得る。
【００１８】
別の態様では、本発明は逆流防止アセンブリを含む。アセンブリは、相互に取り付ける第１部材と第２部材とを備えるハウジングを含む。第１ハウジング部材は隆起部を有するカバーを備え、第２ハウジング部材は、流入管及び流出管に流体連結するように構成された第１及び第２クイック取り付けコネクタを備える。ハウジングには流量調節器が流体連結され、また流量調節器は流入管への液体の逆流を防止するように構成され、カバーは少なくとも部分的にハウジングを取り囲み且つ少なくとも１つの通気口を備える。
【００１９】
本発明のさらに別の態様では、液体と固形薬剤との間で薬剤を調製するためのディスペンサを提供する。ディスペンサは、ディスペンサハウジングと、少なくとも部分的にハウジング内にある、固形薬剤を保持するためのキャビティと、固形薬剤と接触させて薬剤を調製するための液体を供給する液体供給源とを含む。逆流防止装置は、調製された薬剤の逆流を防止するために液体供給源に流体連結され、また相互に取り付ける、カバーを備える第１ハウジング部材と流入管及び流出管に流体連結するように構成された第１及び第２クイック取り付けコネクタを備える第２ハウジング部材とを備えるハウジングと、ハウジングに流体連結され且つ流入管への液体の逆流を防止するように構成された流量調節器とを備える。流出管は、固形薬剤に接触させる液体を供給する液体供給源に流体連結される。
【図面の簡単な説明】
【００２０】
【図１】逆流防止装置及びアセンブリを含むディスペンサの斜視図である。
【図２】図１のディスペンサの組立分解等角図である。
【図３】図１のディスペンサの組立分解正面図である。
【図４】図１のディスペンサの側方断面図である。
【図５】図１のディスペンサの後方断面図である。
【図６】図１のディスペンサの組立分解図である。
【図７Ａ】本発明のある実施形態による逆流防止アセンブリの正面図である。
【図７Ｂ】図７Ａの逆流防止アセンブリの組立分解図である。
【図７Ｃ】図７Ａに示す逆流防止アセンブリの正面断面図である。
【図８】本発明のある実施形態による逆流防止アセンブリの第１ハウジング要素の断面図である。
【図９】本発明のある実施形態による第２ハウジング要素の断面図である。
【図１０】本発明のある実施形態のカバー要素の断面図である。
【図１１】本発明の第２ハウジング要素の別の実施形態の斜視図である。
【図１２】カバー要素の別の実施形態の斜視図である。
【図１３】逆流防止アセンブリの正面図である。
【図１４】図１３の逆流防止アセンブリの組立分解図である。
【発明を実施するための形態】
【００２１】
図１〜６は、本発明と共に使用するためのディスペンサ１０の好ましい実施形態を示す。しかしながら、他のタイプ及び構成のディスペンサも本発明と共に使用し得ること、またディスペンサ１０についての説明及び図が限定的ではないことに留意すべきである。ディスペンサ１０は、水等の液体と組み合わせて薬剤を調製するための固形薬剤を保持するように構成される。例えば、固形薬剤を液体と混合することで洗浄剤を調製し得る。ディスペンサは、液体を固形薬剤と相互作用させてその最終用途に望ましい濃度を有する薬剤を調製することで機能する。液体は、固形薬剤の底部又は他の面に導入し得る。
【００２２】
典型的には、ディスペンサは１つの市場から始まって後に世界中に広まった。逆流防止に関する要件は地域によって異なることから、新しい逆流防止装置を取り付けるためにはディスペンサを大きく改変する必要があることが多かった。本発明では、これらの問題の少なくとも幾つかに取り組む。後々わかるように、Ｏリングシールポート８０、８２は、ディスペンサ１０上のユニバーサル嵌合部品に取り付けるように設計される。この構成により、世界中の地域に共通している特殊な配管用アタッチメントの必要性がなくなる。逆流防止アセンブリ７０は、全世界対応型逆流防止装置１００の様々な構成に対応するように設計された空間にひとめとめにして収容される。アセンブリはスナップフィット１１０により正しい位置に保持され、スナップフィット１１０により構造はより単純なものとなり、また道具又は固締具を必要としない。部品のこの排除により部品がより万国共通なものとなる。したがって、ハウジングは、その地域の規制で要求される数多くのタイプの逆流防止装置に使用できる全世界対応型に近い形で提供され、アセンブリは、逆流防止に役立つ様々な流量調節器、例えばパイプインターラプタ、逆止め弁又は大気圧式バキュームブレーカに流体連結できる流体流路を含む。
【００２３】
本発明の逆流防止アセンブリは、大気圧式バキュームブレーカ（ＡＶＢ）の内部構造に対応するように設計される。ＡＶＢのポペット及びガスケットをアセンブリに組み込み、手工具又は固締具を使用することなく正しい位置に封止する。
【００２４】
本発明のアセンブリ７０はＤＢフレックスギャップスタイルのパイプインターラプタ１０８と共に使用することができ、アセンブリ７０のハウジング７２に加える改変は最低限で済む。ここでもまた、装置をより単純なものにするために、封止機構、保持スナップ及び封止／接合法を利用する。新しい装置に対応できるように新しいブラケット又は機構を設計するのではなく、ハウジングはＤＢスタイルの装置の内部構造を保持する。
【００２５】
さらに、逆止め弁１０６を逆流防止アセンブリ７０のハウジング７２の流路７８に挿入することで、一部の国が課している二重逆流防止要件を満たすことができる。上記の構成のいずれにもあてはまらない又は他の内部若しくは上流側逆流防止装置を設置するならば、ハウジングを、流路で流れが妨げられることのない配管用部品として製造することができる。当然のことながら、これらの様々な構成の全てによりハウジングしか改変せずに済み、ディスペンサがより全世界対応型のものとなる。
【００２６】
好ましい実施形態において、ディスペンサ１０は、ハンドル１６を上に有する正面ドア１４を備えるハウジング１２を含む。正面ドア１４は、正面パネル２２にその間の蝶番２０で蝶番連結される。これにより正面ドア１４を蝶番２０を中心として回転させてディスペンサ１０のハウジング１２内にアクセスすることができる。正面ドア１４は、作業者にハウジング１２内に格納された固形薬剤が見えるようにするウィンドウ１８を含む。格納した薬剤がある程度まですり減っているのが見えたら、作業者はハンドルを持って正面ドア１４を開けて固形薬剤を新しい、すり減っていないものと交換することができる。
【００２７】
正面パネル２２は、プロダクトＩＤを記載するためのプロダクトＩＤウィンドウ２４を含み得る。このプロダクトＩＤウィンドウ２４により、作業者はハウジング１２内に格納されている薬剤のタイプを速やかに特定することができ、薬剤の交換は迅速且つ効率的なものとなる。プロダクトＩＤウィンドウ２４は他の情報、例えば健康上のリスク、製造情報、最後に薬剤を交換した日付又は同種のものも含み得る。正面パネル２２には、ディスペンサ１０を作動させるためのボタン２６も取り付けられる。ボタン２６は、押す又は押し下げるとディスペンサ１０が作動して固形薬剤及び液体により調製されたある量の薬剤を放出するようなバネ式のボタンになり得る。したがって、ボタンを押すたびに所望の量を分注するようにボタン２６を事前にプログラムし得て、あるいはボタン２６は、ボタンを押し下げている間、ある量の薬剤を放出し続け得る。
【００２８】
正面パネル２２には後部エンクロージャ２８が連結され、後部エンクロージャ２８は概ね、ディスペンサ１０の上部、側部及び後部を覆う。ディスペンサ１０の内部にアクセスするために、後部エンクロージャ２８もまた取り外し得る。取り付けプレート３０がディスペンサ１０の後部に位置決めされ、ディスペンサを壁又は他の構造体に取り付けるための手段を含む。例えば、ディスペンサ１０を壁に、取り付けプレート３０に取り付けられたねじ、フック又は他の吊り下げ手段を介して取り付け得る。
【００２９】
ディスペンサ１０のハウジング１２の部品は成形されたプラスチック又は他の材料になり得て、ウィンドウ１８は透明プラスチック、例えば透明化ポリプロピレン又は同種のものになり得る。ハンドル１６は、正面ドア１４に着脱可能である。
【００３０】
図４〜６は、ディスペンサ１０の内部を示す。固形薬剤（図示せず）はキャビティ３８内に置かれ、キャビティ３８は壁４０に囲まれている。固形薬剤は支持部材５０上に置かれ、支持部材５０は、編まれたワイヤを備える格子として描かれている。水等の液体を、ディスペンサ１０の底側にある液体流入口３２からディスペンサ１０に通す。液体はボタン２６に通じているため、ボタンを押すと液体がディスペンサ１０に流れ込んで固形薬剤と接触する。液体はスプリッタ３６を経て液体供給源３４を通過する。図示のように、液体供給源３４は、異なる流路のための分岐した２流路液体供給源である。各流路には、液体を意図した量にきちんと分配するための流量調節器（図示せず）がある。この流量調節器に変更を加えることで固形薬剤と接触する液体の乱流を変化させて特徴に基づいた乱流の調節を行い、調製される薬剤を許容濃度範囲内に維持することができる。液体は液体供給源３４を通過し、液体供給源４４を出る。液体供給源４４はパック部材４６（分配マニホルドとしても知られる）に隣接して位置決めされるため、液体供給源４４を通過する液体はパック部材４６のパックポート４８を通過することになる。
【００３１】
液体は概ね上方向に進み続け、格子５０によって支持されている固形薬剤の一部と接触する。液体と固形薬剤とが混ざって固形薬剤が削られ、固形薬剤の一部が液体中で溶けて薬剤が調製される。この薬剤は薬剤回収部５６で回収され、薬剤回収部５６は概してカップ状部材であり、直立する壁と、パック部材４６を備える底部とを有する。薬剤は、オーバーフローポート５２のレベルに達するまで薬剤回収部５６に溜まり続け、オーバーフローポート５２は薬剤回収部５６を構成している壁の高さにより決定される。ある態様において、薬剤回収部５６は、パック部材４６と、そこから上方向に延びる壁により形成される。壁の高さがオーバーフローポート５２の位置を決定する。薬剤はオーバーフローポート５２を抜け、越え又は通過して回収ゾーン４２、この場合は漏斗内へと流入する。液体供給源３４は第２流路を含み、第２流路は補給水又は希釈液供給源６０で終端する。したがって、補給液としても知られる追加の液体を回収ゾーン４２の薬剤に添加して薬剤を希釈することで許容範囲内の濃度を有する薬剤を得てもよい。
【００３２】
ディスペンサ１０の他の部品には、概ね回収ゾーン４２の上部付近に位置決めされるスプラッシュガード５４が含まれる。スプラッシュガード５４は、回収ゾーン４２内の薬剤が回収ゾーン４２の外側にこぼれるのを防止する。
【００３３】
少なくとも幾つかの図面のディスペンサ１０の図には、ディスペンサ１０のハウジング１２に連結された逆流防止アセンブリ７０も描かれている。逆流防止アセンブリ７０を少なくとも部分的に、ディスペンサ１０のハウジング１２内に格納し得る。上で論じたように、液体をディスペンサ１０のハウジング１２の内部に導入して固形薬剤と接触させる。液体は、ハウジング１２の底部又は側部にある液体流入口３２に通して位置決めされた流入ホース６８を通して導入し得る。流入ホース６８は逆流防止アセンブリ７０に流体連結される。流出管又はホース６９も含まれ、流出管又はホース６９は逆流防止アセンブリ７０に流体連結され、また概して液体をハウジング１２内の固形薬剤に供給するための液体供給源３４及びスプリッタ３６に向かって延びている。
【００３４】
逆流防止アセンブリ７０は、液体と固形薬剤との間で調製された薬剤が液体供給源３４及び流出管６９を戻ってアセンブリ７０を通り、流入管６８を通ってディスペンサの外部にある液体供給源、例えば水源へと逆流するのを防止するように構成される。例えば、最初の液体供給源を、家庭又は職場にあるシンク又は他の配管系統を経てその土地の水源に接続し得る。調製された薬剤が水源を汚染してしまうと、人々が病気になる又は水が使用不可能となる可能性がある。したがって、逆流防止アセンブリ７０は、圧力変化又はディスペンサ系の管の逆サイホン作用による、調製された薬剤の液体供給源又は水源への逆流を防止するための手段及び方法を提供する。
【００３５】
図に示すように、流入管及び流出管６８、６９は、ディスペンサハウジングフレーム６１に連結された管取付具６２に連結し得る。管取付具は、フレームに取り付けるための取付溝６４と、流入管及び流出管６８、６９を流体連結及び封止するためのコネクタ領域６６とを含む連結部材である。管取付具６２はディスペンサ１０のハウジング１２の一部とみなし得る。流入管及び流出管６８、６９は概して、流体管に使用するいずれの材料にもなり得て、例えばプラスチック、ゴム又は同種のものである。加えて、液体が管と取付具との連結部で漏れないように、管取付具６２の連結部材６６には封止部材が存在し得る。また、当然のことながら、取付具は、逆流防止アセンブリ７０内外へと液体が取付具を通過できる開口部を有する。
【００３６】
本発明の逆流防止アセンブリ７０は概して、第２ハウジング部材７６に連結された第１ハウジング部材７４を備えるハウジング７２を含む。ハウジング部材７４、７６はそこを通る流路７８を形成又は画成し、液体は流入管６８から流出管６９へと流れることができる。第２ハウジング部材は、逆流防止アセンブリ７０を管取付具６２及び／又はディスペンサ１０の別の部位に連結するための第１及び第２クイックコネクタアタッチメント８０、８２を含む。流体流路は、第１クイックコネクタアタッチメント８０から第２クイックコネクタアタッチメント８２に通っていると定義される。第１及び第２クイックコネクタアタッチメント８０、８２は、図から見てとれるように、第２ハウジング部材７６から概ね下方向に延びる円形の押出成形物を含む。コネクタはコネクタを貫通する開口部８６と、コネクタの外面上に形成された１本以上の溝８８とを有する。溝８８には封止部材９０、例えばＯリングを取り付け得る。クイックコネクタ８０、８２の二重Ｏリング方式により、逆流防止アセンブリ７０とディスペンサ１０の管取付具６２とを迅速に連結することができ、ねじ山を介してアセンブリをねじ止めする又は取り付ける必要がない。
【００３７】
当然のことながら、第１及び第２クイックコネクタアタッチメント８０、８２のねじ山が切られていない外面は、逆流防止アセンブリ７０を概ねいずれのタイプのディスペンサにも、ねじ山のタイプに関係なく連結することを可能にする。例えば、世界中の地域が、メートル法及びＳＩ又は英語圏の測定単位系に基づいた異なるタイプのねじ山を用いている。このため、これまでは、逆流防止装置用の各コネクタは、用いる地域のねじ山タイプに適合するように特別に寸法を合わせなくてはならず、例えば、欧州においては、逆流防止アセンブリはメートル法に基づいたねじ山が切られたものでなくてはならなかった。ねじ山に関する様々な測定単位系により、これら様々なサイズ及び測定単位系タイプのアタッチメント部材を作製するための鋳型が多数必要となる。逆流防止アセンブリ７０の二重Ｏリング連結により、いずれのタイプ又は測定単位系のディスペンサ１０の連結部にも、測定単位系に関係なく、逆流防止アセンブリを取り付けることができるという利点が得られる。したがって、クイックコネクタ８０、８２により、逆流防止アセンブリ７０をディスペンサ１０に、ねじ山を用いることなく連結することができる。これにより、同じアセンブリを米国と世界のその他の地域の両方で使用し得ることから、ディスペンサ用のねじ山又は連結装置のタイプに関係なく、異なる逆流防止アセンブリ７０に必要な鋳型の数が減少する。さらに、２つのＯリングを使用することで逆流防止アセンブリ７０とディスペンサ１０との間がさらに封止されて液体が漏れない。
【００３８】
逆流防止アセンブリ７０の一部としてカバー９２も含まれ得て、カバー９２は逆流防止アセンブリ７０のハウジング７２の第１及び／又は第２ハウジング部材７４、７６を少なくとも部分的に取り囲む。カバー９２は、後述するように、煙突領域９６の形態で被覆率をさらに上げる。加えて、カバー９２は、アセンブリ７０の逆流防止を支援するための１つ以上の通気口９４を含み、例えば通気口９４は系の逆サイホン作用圧力を逃がす。さらに、カバー９２又は第２ハウジング部材７６は、概ね下方向に向かって延びる複数のスナップ部材１１０を含み得る。スナップ部材１１０は、ディスペンサ１０のハウジングフレームの一部と係合するリップ１１２を含む。スナップ部材は、ディスペンサ１０に対して逆流防止アセンブリ７０を正しい位置に保持する。これは図５で最もよく見てとることができ、第２ハウジング部材７６から延びるスナップ部材１１０は下方向に延び、ディスペンサ１０のハウジング１２の一部と係合して逆流防止アセンブリ７０を正しい位置に保持する。しかしながら、スナップ部材を、逆流防止アセンブリ７０をディスペンサ１０から迅速且つ簡単に取り外すために（例えば、アセンブリ７０を交換するために）、互いに向かって押し付ける又は屈曲させることもできる。
【００３９】
図７Ａ〜Ｃで最もよく描かれているように、逆流防止アセンブリ７０は、逆流防止アセンブリ７０に液体を一方向にだけ流すことを可能にする流量調節器１００を含む。流量調節器１００は、薬剤の水源への逆流を防止することで水源の汚染を防止するものである。流量調節器１００は、ディスペンサ１０に関する使用地域の規制機関により決定され得る。例えば、米国の規制では様々なタイプの流量調節器１００が認められ得るが、カナダ、欧州、英国、オーストラリア等ではそうではない。このため、本発明の新規な構成により、数多くのタイプの流量調節器と使用可能なハウジングを含むアセンブリ７０が得られ、アセンブリ７０への最低限の改変だけでハウジングを概ね世界中で使用することが可能となる。
【００４０】
本発明は、大気圧式バキュームブレーカ（ＡＶＢ）の１タイプであるアセンブリ７０での使用にあたってのポペット１０２及びその上に位置決めされたガスケット１０４の使用を示す。ＡＶＢでは、サイホン作用が起きそうなると系内に空気が取り込まれる。ポペット弁１０２を使用する。ポペット弁（マッシュルーム弁とも称される）は、気体又は蒸気の流れのタイミング及び量を制御するのに典型的に使用される弁である。通常は円形又は楕円形である孔と、通常はディスク形状である、バルブステムとも称されるシャフトの端部上にあるテーパプラグとから成る。シャフトは、バルブガイドを通って摺動することでプラグ部を誘導する。殆どの用途においては差圧が弁の封止に役立ち、一部の用途においては弁を開けもする。ポペット弁１０２は系内の水圧により持ち「あげられ」、装置への空気進入口を閉じる。「上流側」の圧力が大気圧以下まで低下するとポペット弁１０２が下がり、空気が系に進入し、サイホン作用を止める。
【００４１】
しかしながら、当然のことながら、他のタイプの流量調節器１００も使用し得る。たとえば、世界の一部の地域では、薬剤の水源への逆流を防止するために、流出管６９に位置決めした又は逆流防止装置７０及び／若しくは管６８、６９に少なくとも流体連結させた単式又は複式逆止め弁１０６の使用を必要とする。複式逆止め弁アセンブリは、逆圧又は逆サイホン作用の防止に適している。複式逆止め弁１０６は、直列に組み立てられた２つの逆止め弁から成る。逆止め弁は機械装置、弁であり、通常、流体（液体又は気体）を一方向だけに流すことを可能にする。逆止め弁は２ポート弁であり、これは本体に２つの開口部、すなわち流体が入る側ともう一方の流体が出る側とを有することを意味する。ここでは２つの動作原理が働く：第１に、１つめの逆止め弁は、たとえもう一方の弁が押し込まれて大きく開いても作動し続ける。第２に、一方の弁を閉じるともう一方の弁との圧力差が低下するため、より信頼性高く封止でき、わずかな漏出さえ回避することができる。本発明で使用し得る１つのタイプの複式逆止め弁はパーツ番号１５ＤＣＶであり、Ｊｏｈｎ  Ｇｕｅｓｔ  ＵＳＡ  Ｉｎｃ．（１８０パセーイクアベニュー、フェアフィールド、ニュージャージー州、０７００４）から購入できる。しかしながら、他のパーツ番号及び製造業者も本発明の一部として含め得ることがわかる。このため、本発明では、単式又は複式逆止め弁１０６を第１及び／又は第２クイックコネクタ８０、８２の一方又は両方に連結することで、逆流防止装置７０に液体を一方向で流すことを考えている。
【００４２】
加えて、本発明では、図１３、１４から見てとれるように、Ａｒｒｏｗ  Ｖａｌｖｅｓ  ＬＴＤ．（６８ハイストリート、トリング、ハートフォードシャー、ＨＰ２３  ４ＡＧ）から購入したタイプＤＢのインターラプタ等のパイプインターラプタ１０８（モデル番号ＤＢ２５６等）を本発明のアセンブリ１４０で使用し得ると考えている。当然のことながら、他のモデルタイプ及び／又は製造業者も、パイプインターラプタとして、本発明の逆流防止アセンブリ７０又は１４０で使用し得る。逆止め弁と同様に、パイプインターラプタ１０８を管６８、６９又はクイックコネクタ１５０、１５２を介してアセンブリ１４０に流体連結することで薬剤が逆流防止アセンブリを通って水源へと逆流するのを防止する。原理は従来の自転車のタイヤのバルブと同様であり、遠端を塞いだ管に流れが進入する。この管は幾つかの小さな孔を放射状に有し、これらの孔の上に可撓性のチューブがかぶせられている。順方向の流れは可撓性チューブを持ち上げ、外方通気口に押し付ける。供給圧力が解放されると可撓性チューブは収縮し、下流側を排出し、流入孔を覆って逆サイホン作用を防止する。アセンブリに多くの改変を加えることなく他のタイプの流量調節器１００、例えば一方向流量調節器を本発明の逆流防止装置に動作可能に又は流体的に連結し得ることから、逆流防止アセンブリ７０、１４０は世界中のディスペンサで使用し得ると考えられる。
【００４３】
図７Ａ〜Ｃは、本発明による逆流防止アセンブリ７０の好ましい実施形態を示す。上述したように、アセンブリ７０は、液体が流れる流路７８を形成する、第２ハウジング部材７６に隣接して位置決めされ且つ選択的に取り付けられる第１ハウジング部材７４を備えるハウジング７２を含む。図７Ａ〜Ｃに示す実施形態において、ガスケット１０４を備えるポペット弁１０２は第１ハウジング部材７４と第２ハウジング部材７６との間に流入管６８に隣接して位置決めされ、流入管６８は第１クイックコネクタアタッチメント８０に流体連結される。ポペット弁１０２はコネクタ８０と８２との間の流体流路内に流動的に位置決めすることができ、流路を通る流体は弁に作用を及ぼし得る。第１ハウジング部材７４は、流路７８の一部を覆う又は画成するカバー部１１４を含み得る。図の第１ハウジング部材７４は、概ねカバー部１４４の周囲を取り囲んで延びるフランジ部１１６及び隆起部１１８も含む。隆起部１１８はカバー部１１４から概ね上方向に向かって延び、また貫通する開口部１２０を含み得る。第１ハウジング部材７４が第２ハウジング部材７６の開口部１２８に挿入するための１つ以上のペグ１２２を含み得ることも考えられる。
【００４４】
第２ハウジング部材７６は、概ねフランジ部１２４により囲まれた直立壁１２６を含む。フランジ部は、カバー９２からのペグ９８を受け止めるための、フランジ部を貫通する開口部１２８を含み得る。さらに、第２ハウジング部材７６はリップ部１３０を含み得る。第１ハウジング部材７４のフランジ１１６が第２ハウジング部材７６のリップ１３０に隣接して載るように、リップ部１３０を第１ハウジング部材７４のフランジ部１１６に適合するように構成することができる。第１及び第２ハウジング部材７４、７６は、例えば部品の音波溶接又は高周波溶接により溶接することができ、これは部品をプラスチック又は他の同様の材料から成形し得るからである。ハウジング部材は他の手段、例えば接着剤、シール、取り付け部材又は同種のもので相互に取り付けることもできる。このようにして第１及び第２ハウジング部材７４、７６を封止することで、液体が流路７８を通過する際に漏出が起きない。
【００４５】
図７Ａ〜Ｃ及び図１０に示すように、カバーは少なくとも部分的に、第１及び第２ハウジング部材７４、７６により構成されるハウジング７２を取り囲み、ハウジング部材から延びるペグ９８を、第２ハウジング部材７６の開口部１２８に通して位置決めすることができる。カバー９２は、逆流防止アセンブリ７０の流量調節器１００の制御を支援する通気部９４を提供する。さらに、カバーを接着剤、にかわ又は同種のものによりハウジングに取り付けることができる。カバー９２の上部から概ね上方向に延びる煙突９６又は他の隆起部を含め得る。図７Ａ〜Ｃ及び図９に示すように、複数のスナップ部材１１０がカバー９２から概ね下方向に向かって延び、またアセンブリ７０をディスペンサ１０のハウジング１２に取り付けるためのリップ部材１１２を含む。カバー９２はプラスチック又は同様の材料を含むため、スナップ部材１１０は内側に屈曲してリップ部材１１２をディスペンサハウジング１１２から解放してアセンブリをディスペンサ１０から解放し得る。
【００４６】
図示及び説明してきたアセンブリ７０の使用例は以下の通りである。図７Ａ〜Ｂに示すように、ガスケット１０４が連結されたポペット１０２は、アセンブリ７０のハウジング７２を構成する第１ハウジング部材７４と第２ハウジング部材７６との間に位置決めされる。次に、ハウジング７２をディスペンサ１０に第１及び第２クイック連結アタッチメント８０、８２を介して取り付け、クイック連結アタッチメント８０、８２はこの場合、クイックコネクタ８０、８２の溝８８に位置決めされる二重のＯリングを備える。このようにして、ハウジング７２はディスペンサ１０の流入管及び流出管６８、６９に流体連結される。上述したように、管はディスペンサの管取付具６２に連結し得て、第１及び第２クックコネクタ８０、８２は、ねじ山を用いることなく又はねじ山のサイズ及びタイプを適合させる必要なく迅速且つ簡単に管取付具６２に連結される。さらに、カバー９２がアセンブリ７０のハウジング７２上に位置決めされ、スナップ１１０はディスペンサ１０のフレーム又はハウジング１２に隣接して位置決めされて逆流防止アセンブリ７０をディスペンサ１０に対して正しい位置に保持する。
【００４７】
固形薬剤との接触に使用する液体を、流入管６８からディスペンサに導入する。液体は第１クイック連結アタッチメント８０の開口部８６を通って、アセンブリ７０のハウジング７２の第１ハウジング部材７４と第２ハウジング部材７６との間の流路７８へと進む。第１クイック連結アタッチメント８０を通る液体の圧力によりポペット弁１０２は概ね上方向に動き、これによって弁の一部が第１ハウジング部材７４の隆起部１１８の開口部１２０から突き出得る。しかしながら、カバーの閉じられた煙突又は隆起部９６が、ポペット１０２が動きすぎないように支援する。さらに、ポペットのガスケット１０４が第１ハウジング部材７４の隆起部１１８を封止するため、液体通過時にディスペンサ内で漏出が起きることはない。流体は流路７８を通って第２クイック連結開口部を抜け、流出管６９を固形薬剤に向かって流れる。これまで説明してきたように、圧力が低下しない限り、系は連続的及び／又は選択的に液体を逆流防止アセンブリ７０を通して供給する。
【００４８】
しかしながら、系内の圧力が低下するとディスペンサ１０の部品がサイホン作用を引き起こし、液体と固形薬剤との間で調製された薬剤が流出管６９を上に逆流防止アセンブリ７０に向かって吸い上げられる。このような場合、負圧によりポペット１０２は下方向に動いて第１クイック連結アタッチメント８０の開口部をブロックし、流出管６９を遡った薬剤が流入管６８に進入するのを防止する。この逆方向サイホン作用はアセンブリ７０のカバー９２に設けられた通気口９４によっても軽減され、通気口は、逆流サイホン作用が止まるまで負圧を逆流防止装置から逃がし、薬剤はディスペンサの回収ゾーンに戻る。圧力が一旦低下したら、上述した形で液体は流入管を通ってまた流れるようになり、ポペット弁１０２を上方向に押してアセンブリ７０のハウジング７２を通る流路７８を開ける。
【００４９】
逆止め弁１０６装置及びパイプインターラプタ１０８装置は同様に動作する。例えば、上述したように、逆止め弁アセンブリにより液体は逆止め弁を一方向にしか通過することができない。液体が逆方向に進もうとすると弁が閉じて液体の通過を阻む。加えて、複式逆止め弁は、弁を介して負圧を解放することでディスペンサでの薬剤の逆サイホン作用を軽減する解放弁を含む。同じく、パイプインターラプタは同様に動作し、液体はパイプインターラプタを一方向にしか流れることができない。パイプインターラプタは、パイプインターラプタでの薬剤の逆流サイホン作用を防止する内部部品を含み、逆流防止アセンブリ７０を含む。パイプインターラプタは、系のサイホン作用及び逆流圧力（系において薬剤の逆流サイホン作用を引き起こす）を低下させるための圧力低下部材も含む。
【００５０】
したがって、逆流防止装置は、薬剤が水源へと戻る逆流サイホン作用を完全に防止することで水源の汚染を防止する。加えて、本発明の逆流防止アセンブリ７０のハウジングアセンブリ７２は、世界中の逆流防止装置に関して規制上の要件が異なる理由である世界中の概ね全てのディスペンサに多種多様な逆流防止装置を連結することを可能にする。本発明は、逆流に関する世界中の様々な規格を満たして機能する共通組み立てパッケージを用いる逆流防止アセンブリを提供する。本発明の逆流防止アセンブリは世界中の異なる逆流制御装置に使用できることから、全世界対応型逆流防止アセンブリハウジングとなる。これによって世界中の逆流防止装置を使用するにあたって必要となる鋳型及び部品の数は減少し、世界中のディスペンサ及びディスペンサに使用する逆流防止アセンブリの製造コストは低下し、それでいて逆流防止規格に関するその土地の規制上の要件は満たされる。
【００５１】
図１１、１２は、本発明の逆流防止アセンブリ７０の一部として使用できる第２ハウジング部材７６及びカバー９２の追加の実施形態を示す。図１１に示すように、スナップ部材１１０は第２ハウジング部材７６のフランジ部１２４に取り付けられ、またフランジ部１２４から概ね下方向に延びている。カバー９２は第２ハウジング部材のフランジ部１２４の開口部１２８に挿入するペグ９８を含む。したがって、図１１、１２に示す構成において、スナップ部材は上述したものと同様の形でディスペンサ１０のハウジング１２に依然として連結されるものの、カバー９２ではなく第２ハウジング部材７６に連結される。しかしながら、当然のことながら、これまで図示及び説明してきたように、この構成でも逆流防止アセンブリ７０の機能又は能力は変化しない。
【００５２】
図１３、１４は、パイプインターラプタ１０８の形態の流量調節器を含む逆流防止アセンブリ１４０の実施形態を示す。アセンブリ１４０はハウジング１４２を含み、ハウジング１４２はそこから延びる第１及び第２クイックコネクタアタッチメント１５０、１５２を含む。アタッチメントは、これまで図示及び説明してきたものの形態になり得る。第１ハウジング部１４４はアタッチメント部材を含む。パイプとして描かれ銅製のパイプになり得る流体流路１４６が概ね一方のアタッチメント１５０からもう一方のアタッチメント１５２へと延びているさまが描かれており、流体連通していて流体が通過できる。継手１４５も流路１４６に図示されている。これまで説明してきたように、第２アタッチメント１５２に隣接して流体流路にはパイプインターラプタ１０８があり、流体が流体流路を戻って逆流するのを防止することができる。
【００５３】
図１３、１４の逆流防止アセンブリ１４０の追加の態様は、アタッチメントが、クイックコネクタの溝１５８に位置決めされる二重Ｏリング１５９を備えることを含む。さらに、カバー又は蓋１６２には通気口１６４が設けられ、通気口１６４は流量調節器及び逆流防止アセンブリ１４０の動作を支援することができる。これまで図示及び説明してきたように、カバー１６２はハウジング部材１４４に、例えばペグの使用、部品の音波溶接により取り付けることができる。
【００５４】
アセンブリ１４０は、逆流防止部材又は流量調節部材としてパイプインターラプタの組み込みを要求する世界の地域で使用することができる。おわかりのように、アセンブリ１４０はアセンブリ７０と極めてよく似ており、異なる流量調節器を設けるためのわずかな改変を含んだ。全てのケースにおいて、ハウジングには流量調節器をディスペンサの流入管及び流出管に取り付けるための、ねじ山が切られていないクイック連結アタッチメントが設けられていることから、本発明の逆流防止アセンブリは迅速且つ簡単に、事実上世界中のどこであっても使用することができ、取り換えにわずかな改変しか必要としない。さらに、全ての実施形態が第１及び第２ハウジング、第１及び第２クイックコネクタアタッチメントから延びる銅管／パイプ、プラスチック管、他のハウジング等により画成され得る流体流路を含むことから、事実上どんなタイプの流量調節器でも迅速かつ簡単に追加して世界中の様々な土地の規制上の要件を満たすことができる。
【００５５】
これまでの記述内容は、例示及び説明を目的としたものであって、余すところなく全てを書きだしたものであること又は本発明を開示した通りの形態に限定することを意図してはいない。当業者に自明な他の代替の工程も本発明の一部とみなされると考えられる。例えば、特定の逆流防止装置について論じてきたが、本発明の逆流防止アセンブリは、世界中の規制上の規格で必要とされる概ねどんな逆流防止装置にも使用できると考えられる。本発明のアセンブリは、世界中のディスペンサ及び逆流防止装置で動作させるための概ね全世界対応型の逆流防止ハウジングを提供し、部品の量ひいては鋳型の数を減らすことでハウジング及びディスペンサの製造コストを低下させる。これまで図示及び説明してきたように、本発明により数々の利点がもたらされることがわかる。
【図１】
2019088853.tif 000003
【図２】
2019088853.tif 000004
【図３】
2019088853.tif 000005
【図４】
2019088853.tif 000006
【図５】
2019088853.tif 000007
【図６】
2019088853.tif 000008
【図７Ａ】
2019088853.tif 000009
【図７Ｂ】
2019088853.tif 000010
【図７Ｃ】
2019088853.tif 000011
【図８】
2019088853.tif 000012
【図９】
2019088853.tif 000013
【図１０】
2019088853.tif 000014
【図１１】
2019088853.tif 000015
【図１２】
2019088853.tif 000016
【図１３】
2019088853.tif 000017
【図１４】
2019088853.tif 000018
【手続補正書】
【提出日】平成31年1月31日(2019.1.31)
【手続補正１】
【補正対象書類名】特許請求の範囲
【補正対象項目名】全文
【補正方法】変更
【補正の内容】
【特許請求の範囲】
【請求項１】
流入管及び流出管に流体連結するように構成された、第１クイック取り付けコネクタ及び第２クイック取り付けコネクタを備えるハウジングと、
前記ハウジングに流体連結され且つ前記流入管への液体の逆流を防止するように構成される流量調節器と、
前記ハウジングを少なくとも部分的に取り囲み且つ少なくとも１つの通気口を備えているカバーであって、前記ハウジングは、前記流入管を前記流出管に接続する流体流路を形成し、前記第１クイック取り付けコネクタ及び前記第２クイック取り付けコネクタは、前記流入管及び前記流出管との連結が実質的に全世界対応型となりうるように前記流入管及び前記流出管とのねじ山が切られていない連結を備える、カバーとを備える、ディスペンサと共に使用するための逆流防止アセンブリ。
【請求項２】
前記ハウジングが、前記第１クイック取り付けコネクタから前記第２クイック取り付けコネクタへの閉鎖流路を形成する、請求項１に記載のアセンブリ。
【請求項３】
前記流量調節器が、前記閉鎖流路に前記第１クイック取り付けコネクタ又は前記第２クイック取り付けコネクタに隣接させて位置決めされるポペットを備える、請求項２に記載のアセンブリ。
【請求項４】
前記ポペットが、流体が前記流入管、ハウジング及び流出管を通過可能な開位置と、前記ポペットが前記流入管、ハウジング又は流出管の少なくとも１つを通る流れをブロックする閉位置との間で動くように構成される、請求項３に記載のアセンブリ。
【請求項５】
前記流量調節器が、前記流入管又は流出管に少なくとも１つの逆止め弁を備える、請求項１に記載のアセンブリ。
【請求項６】
前記流量調節器が、前記ハウジングに流体連結されたパイプインターラプタを備える、請求項１に記載のアセンブリ。
【請求項７】
前記ハウジングが、前記逆流防止アセンブリを前記ディスペンサに選択的に取り付けるように構成された複数のスナップ部材をさらに備える、請求項１に記載のアセンブリ。
【請求項８】
前記第１クイック取り付けコネクタ及び前記第２クイック取り付けコネクタが、それぞれ、
前記ハウジングから概ね下方向に延び且つ前記ハウジングへのアクセスを可能にする開口部が貫通している概ね円形の押出成形物と、
実質的に前記押出成形物を取り囲み且つ前記流入管及び前記流出管を流体連結するように構成された、ねじ山が切られていない連結溝とを備える、請求項１に記載のアセンブリ。
【請求項９】
前記流入管及び前記流出管を流体的に封止するための、前記連結溝に位置決めされるＯリングをさらに備える、請求項８に記載のアセンブリ。
【請求項１０】
前記ハウジングは、相互に溶接される第１ハウジング部材と第２ハウジング部材とを備えている、請求項１に記載のアセンブリ。
【請求項１１】
前記第１ハウジング部材と前記第２ハウジング部材は、長手軸線に沿って継ぎ目を形成するように当接しており、前記流体流路は、前記継ぎ目と実質的に平行である、請求項１０に記載のアセンブリ。
【請求項１２】
ねじ山が切られていない第１クイック取り付けコネクタ及び第２クイック取り付けコネクタが延びているハウジングと、
流体が通過できるように構成された前記第１クイック取り付けコネクタから前記第２クイック取り付けコネクタへの流体流路と、
前記第１クイック取り付けコネクタに流体連結された流入管及び前記第２クイック取り付けコネクタに流体連結された流出管と、
前記流体流路に流体連結され且つ流体の前記流出管の方向から前記流入管への逆流を防止するように構成された流量調節器とを備える逆流防止アセンブリ。
【請求項１３】
前記流量調節器が、
（ａ）ガスケットを含むポペット、（ｂ）少なくとも１つの逆止め弁、又は、（ｃ）パイプインターラプタを備える、請求項１２に記載のアセンブリ。
【請求項１４】
前記流体流路が、（ａ）ハウジングカバー又は（ｂ）銅管を備える、請求項１３に記載のアセンブリ。
【請求項１５】
前記少なくとも１つの逆止め弁が前記流入管内に位置決めされる、請求項１３に記載のアセンブリ。
【請求項１６】
前記第１クイック取り付けコネクタ及び前記第２クイック取り付けコネクタが、それぞれ、
第２ハウジング部材から概ね下方向に延び且つ前記第２ハウジング部材へのアクセスを可能にする開口部が貫通している概ね円形の押出成形物と、
実質的に前記押出成形物を取り囲み且つ前記流入管及び前記流出管を流体連結するように構成された、ねじ山が切られていない連結溝と、
前記流入管及び前記流出管を流体的に封止するための、前記連結溝に位置決めされる封止部材とを備える、請求項１２に記載のアセンブリ。
【請求項１７】
ディスペンサハウジングと、
少なくとも部分的に前記ディスペンサハウジング内にある、固形薬剤を保持するためのキャビティと、
前記固形薬剤と接触させて薬剤を調製するための液体を供給する液体供給源と、
前記調製された薬剤の逆流を防止するために前記液体供給源に流体連結され且つねじ山が切られていない第１クイック取り付けコネクタ及び第２クイック取り付けコネクタが延びているハウジングと、前記第１クイック取り付けコネクタと前記第２クイック取り付けコネクタの間の流体流路と、前記第１クイック取り付けコネクタに流体連結された流入管及び前記第２クイック取り付けコネクタに流体連結された流出管と、前記流体流路に流体連結され且つ流体の少なくとも前記流入管への前記調製された薬剤の逆流を防止するように構成された流量調節器とを備える逆流防止装置とを備え、
前記流出管が、前記固形薬剤に接触させる液体を供給するように前記液体供給源に流体連結されており、
前記第１クイック取り付けコネクタ及び前記第２クイック取り付けコネクタは、前記流入管及び前記流出管との連結が実質的に全世界対応型となりうるように前記流入管及び前記流出管とのねじ山が切られていない連結を備える、液体と固形薬剤との間で薬剤を調製するためのディスペンサ。
【請求項１８】
前記流量調節器が、
（ａ）ガスケットを含むポペット、（ｂ）少なくとも１つの逆止め弁、又は、（ｃ）パイプインターラプタを備える、請求項１７に記載のディスペンサ。
【請求項１９】
前記流体流路が、（ａ）ハウジングカバー又は（ｂ）銅管を備える、請求項１７に記載のディスペンサ。
【請求項２０】
前記ディスペンサは、前記逆流防止装置の前記ハウジングを少なくとも部分的に取り囲み且つ少なくとも１つの通気口を備えているカバーをさらに備える、請求項１７に記載のディスペンサ。